(57)【要約】【課題】  従来にあっては、把手部を握ってミラー部を患者の口元に向ける操作を行った時に、把手部から突出しているロック解除部材を誤って操作する可能性があり、該ロック解除部材ご操作されると把手部が外れてしまい、また、把持部が保持部材に装着されている際に、把持部の内壁と把持部材の外壁の間にはクリアランスを設けなければならず、従って、操作時に操作者はガタツキ感を感じながら操作することになるので、操作時に不快感を与えるといった問題があった。【解決手段】  ハンドル５の装着手段５３をハンドルソケット５１ａ，５１ｂ内に押さえバネ５１ｃのバネ力に抗してカム５１ｄを押し込み、かつ、回転することで、前記ハンドルソケット内に形成されている係合突起５１ａ３  に、前記装着手段に形成された係合部５３ｂが係合されることでハンドルがハンドルソケットに対して固定されるようにした診療用照明装置である。【選択図】        図４
2005093132.tif 000002
【特許請求の範囲】
【請求項１】
ヨークのアームに回動自在に軸支され、かつ、ミラーが取
付けられたブラケットフレームと、該ブラケットフレームに取付けられたハン
ドルソケットは、該ハンドルソケット内に収納された押さえバネと、同じく前
記ハンドルソケット内に収容され、かつ、前記押さえバネによってバネ付勢さ
れたカムと、ハンドルの前記ハンドルソケット内に挿入可能に形成された装着
手段とより構成し、前記ハンドルの前記装着手段を前記ハンドルソケット内に
前記押さえバネのバネ力に抗して前記カムを押し込み、かつ、回転することで
、前記ハンドルソケット内に形成されている係合突起に、前記装着手段に形成
された係合部が係合されることでハンドルがハンドルソケットに対して固定さ
れるようにしたことを特徴とする治療用照明装置。
【請求項２】
前記アームに軸支される前記ブラケットフレームに形成さ
れた水平方向軸孔内に収容された重荷重バネと、前記アームの先端に形成され
た軸孔内に回転可能に軸支され、かつ、前記水平方向軸孔内に先端が挿入され
たヘッド回転軸と、該ヘッド回転軸内に収容された軽荷重バネと、該軽荷重バ
ネと前記重荷重バネ内に挿通され前記ヘッド回転軸を前記ブラケットフレーム
に取付けるボルトとより構成し、前記ボルトのネジ込み量によって前記直列に
配置された軽荷重バネと重荷重バネとによってアームに対するブラケットフレ
ームの回動摩擦を微調整できるようにしたことを特徴とする請求項１記載の治
療用照明装置。
【請求項３】
前記ブラケットフレームにおける垂直方向の上側に固定さ
れたミラーベースと、該ミラーベースに取付けられたミラー押さえバネと、前
記ミラーベースに対して回動自在に軸支され、かつ、ミラーベースに対して起
立状態とした時に前記ミラー押さえバネと係合される係合部が形成されたステ
ーと、該ステーの先端に取付けられたミラーを有するミラー枠とから構成した
ことを特徴とする請求項１記載の治療用照明装置。
【発明の詳細な説明】
【技術分野】
【０００１】
本発明は、医療、特に、歯科用治療において患者の口元を照明するの照明装置
であって、かつ、該照明装置よりの反射光を患者の口元に向けるために操作する
ハンドルを照明装置に対して着脱自在に形成した診療用照明装置に関する。
【背景技術】
【０００２】
従来における前記したハンドルを照明装置に対して着脱自在となし、該ハンド
ルを外して高圧蒸気滅菌（オートクレーブ）が行えるようにした従来例としては
、特開平５−１５７５７０号公報に開示された技術がある。
【０００３】
この公報に開示されている技術は、ミラー部の側面に設けられた把手保持部材
を着脱自在に挿通する切り欠き部を設けた把手部（ハンドル）を有し、前記把手
保持部材の下方に設けられた貫通ロック穴に緩挿されたロック部材に進退可能に
支持するばね部材が設けられ、前記把手部の外部下方に前記ロック部材と係合す
るロック穴と、前記ロック部材を前記ばね部材に抗して前記ロック穴から離脱さ
せるロック解除部材を備えたものである。
【特許文献１】特開平５−１５７５７０号公報
【発明の開示】
【発明が解決しようとする課題】
【０００４】
ところで、前記した従来例にあっては、把手部を握ってミラー部を患者の口元
に向ける操作を行った時に、把手部から突出しているロック解除部材を誤って操
作する可能性があり、該ロック解除部材ご操作されると把手部が外れてしまうと
いう問題があり、また、把持部が保持部材に装着されている際に、把持部の内壁
と把持部材の外壁の間にはクリアランスを設けなければならず、従って、操作時
に操作者はガタツキ感を感じながら操作することになるので、操作時に不快感を
与えるといった問題があった。
【０００５】
本発明は前記した問題点を解決せんとするもので、その目的とするところは、
ハンドルをミラーを取付けるためのブラケットフレームに取付けられたハンドル
ソケットに対して押し込みながら回転することでハンドルの取外しが可能となる
ように構成し、ハンドルは意識的に操作しない限り外れることがなく、従って、
ミラーを患者の口元に向ける操作中に外れることがないので、ミラー操作を安全
に行うことができ、また、構造上、ハンドル装着時にハンドルとソケットのガタ
ツキがなく操作時において不快感を与えることがない診療用照明装置を提供せん
とするにある。
【課題を解決するための手段】
【０００６】
本発明の診療用照明装置は前記した目的を達成せんとするもので、請求項１の
手段は、ヨークのアームに回動自在に軸支され、かつ、ミラーが取付けられたブ
ラケットフレームと、該ブラケットフレームに取付けられたハンドルソケットは
、該ハンドルソケット内に収納された押さえバネと、同じく前記ハンドルソケッ
ト内に収容され、かつ、前記押さえバネによってバネ付勢されたカムと、ハンド
ルの前記ハンドルソケット内に挿入可能に形成された装着手段とより構成し、前
記ハンドルの前記装着手段を前記ハンドルソケット内に前記押さえバネのバネ力
に抗して前記カムを押し込み、かつ、回転することで、前記ハンドルソケット内
に形成されている係合突起に、前記装着手段に形成された係合部が係合されるこ
とでハンドルがハンドルソケットに対して固定されるようにしたものである。
【０００７】
請求項２の手段は、前記した請求項１の手段において、前記アームに軸支され
る前記ブラケットフレームに形成された水平方向軸孔内に収容された重荷重バネ
と、前記アームの先端に形成された軸孔内に回転可能に軸支され、かつ、前記水
平方向軸孔内に先端が挿入されたヘッド回転軸と、該ヘッド回転軸内に収容され
た軽荷重バネと、該軽荷重バネと前記重荷重バネ内に挿通され前記ヘッド回転軸
を前記ブラケットフレームに取付けるボルトとより構成し、前記ボルトのネジ込
み量によって前記直列に配置された軽荷重バネと重荷重バネとによってアームに
対するブラケットフレームの回動摩擦を微調整できるようにしたものである。
【０００８】
請求項３の手段は、前記した請求項１の手段において、前記ブラケットフレー
ムにおける垂直方向の上側に固定されたミラーベースと、該ミラーベースに取付
けられたミラー押さえバネと、前記ミラーベースに対して回動自在に軸支され、
かつ、ミラーベースに対して起立状態とした時に前記ミラー押さえバネと係合さ
れる係合部が形成されたステーと、該ステーの先端に取付けられたミラーを有す
るミラー枠とから構成したものである。
【発明の効果】
【０００９】
本発明は前記したように、ハンドルの装着手段をハンドルソケット内に押さえ
バネのバネ力に抗してカムを押し込み、かつ、回転することで、前記ハンドルソ
ケット内に形成されている係合突起に、前記装着手段に形成された係合部が係合
されることでハンドルがハンドルソケットに対して固定されるようにしたので、
ハンドルは意識的に操作しない限り外れることがなく、従って、ミラーを患者の
口元に向ける操作中に外れることがないので、ミラー操作を安全に行うことがで
き、また、構造上、ハンドル装着時にハンドルとソケットのガタツキがなく操作
時において不快感を与えることがないものである。
【００１０】
また、ボルトのネジ込み量によって直列に配置された軽荷重バネと重荷重バネ
とによってアームに対するブラケットフレームの回動摩擦を微調整できるように
したので、ハンドルによって照明装置を回動させる時の力を自由に調整でき、か
つ、ハンドルによって照明装置を回動した位置において、該照明装置が回転して
照射方向が変わってしまうことがないものである。
【００１１】
さらに、ミラーを有するミラー枠が取付けられたステーを、ブラケットフレー
ムに取付けられているミラーベースに対してミラー押さえバネによって弾性的に
起立状態に保持できるので、診療中にミラー枠が回動してミラーカバー側に回動
してランプよりの光がミラー枠によって遮られることがない等の効果を有するも
のである。
【発明を実施するための最良の形態】
【００１２】
本発明は、照明装置が取付けられるブラケットフレームに取付けられたハンド
ルソケットに対してハンドルを着脱自在に取付け、かつ、ハンドルを外す場合に
は前記ハンドルソケットに対して押し込みながら回転することで行えるので、通
常の操作時においてはハンドルが外れることがなく、かつ、外そうとする意識を
持って行うことで簡単に外すことが可能なものである。
【実施例１】
【００１３】
以下、本発明に係る診療用照明装置（歯科用に応用した場合）の実施例を図１
〜図１１と共に説明する。
図１、図２は全体の正面図と側面図とを示し、１は例えば、スピットンボール
やアシスタントが使用する器具が装備されている機器から起立されたＬ字状の起
立杆、２は該起立杆１の水平部先端に一端が垂直軸を支点として回動自在に軸支
された上下方向に回動するバランスアーム、３は該バランスアーム２の他端に水
平軸を支点として回動自在に取付けられたヨークにして、該ヨーク３は前記バラ
ンスアーム２の軸支されたヨークジョイント３ａと、該ヨークジョイント３ａに
対して回転自在に形成されたヨーク本体３ｂとより構成されている。
【００１４】
また、ヨーク本体３ｂには斜め下方に延長された半円弧状のアーム３ｃが形成
されており、該アーム３ｃに対して水平軸を支点として回動自在に後に詳述する
照射方向保持手段４（図３、図８、図９参照）を介して略十字状に形成されたブ
ラケットフレーム３ｄの水平軸側が取付けられ、また、前記保持手段４によって
回動自在に取付けられたブラケットフレーム３ｄの部分に、本発明の要部である
後に詳述するハンドル５がハンドル着脱手段５１を介した着脱自在に取付けられ
ている。
【００１５】
さらに、前記ブラケットフレーム３ｄには後に詳述する照明装置６が取付けら
れているので、ハンドル５を操作することで前記した各軸部によって水平方向、
垂直方向および左右方向に照明装置６を変位させることができ、これにより、照
明装置６より放射される放射光を患者の口元に向けることが可能となっている。
７は患者が治療前あるいは治療後等において口腔内を見るためのミラー装置、８
はブラケットフレーム３ｄの背面側にネジ止めされたブラケットカバーである。
【００１６】
前記照明装置６と図３に示すように、前記ブラケットフレーム３ｄの椀状面に
ネジ止め等の手段によって取付けられた椀状のミラー６１と、該ミラー６１の中
心に取付けられるランプホルダー６１ａと、該ランプホルダー６１ａに着脱自在
に取付けられたフィラメントがガラス管の長手方向（縦形）に沿って形成された
ハロゲンランプ６２と、前記ミラーの前面側で、かつ、突出片６３ａが前記ブラ
ケットフレーム３ｄに対して着脱自在に取付けられたミラーカバー６３とより構
成されている。
【００１７】
なお、６２ａをランプ６２を前記ランプホルダー６１ａに固定するためのバネ
部材、６３ａはミラーカバー６３の裏面側に取付けられているランプ６２の頂部
よりの光が外部にもれるのを防止するためのランプ内キャップ（図示せず）を、
ランプ６２に接近されたり遠ざけたり調整するためのネジ６２ｃを被せるための
ランプ外キャップである。
【００１８】
次に、本発明に係る診療用照明装置の要旨であるハンドル５をハンドル着脱手
段５１を介してブラケットフレーム３ｄに対して着脱自在に取付け可能とした詳
細構造を図４〜図７と共に説明する。
ハンドル着脱手段５１はブラケットフレーム３ｄにネジ止め固定される取付部
５１ａ１  を有する第１のハンドルソケット５１ａと、該第１のハンドルソケット
５１ａに対してネジ止めされる第２ハンドルソケット５１ｂと、該第１、第２ハ
ンドルソケット５１ａ，５１ｂを組み立てた状態において内部に収容される押さ
えバネ５１ｃおよびカム５１ｄとから構成されている。
【００１９】
第１、第２ハンドルソケット５１ａ，５１ｂは組み立てた状態において円筒状
となり、それぞれの内周面には略円板状に形成された前記カム５１ｄの外周面か
ら突出した一対の突起５１ｄ１  を軸方向に摺動自在にガイドする長溝５１ａ２  ，
５１ｂ２  と、後述するハンドル５の基端に形成された装着手段５２の係合部５２
ｂをガイドし、かつ、最終位置において嵌まり込み抜け出るのを防止するための
係合突起５１ａ３  ，５１ｂ３  とが形成されている。
【００２０】
カム５１ｄには第１、第２ハンドルソケット５１ａ，５１ｂを組み立てた状態
において内部に収容される押さえバネ５１ｃの先端が収容される穴が形成され、
外周面の相対向する位置には一対の突起５１ｄ１  が形成され、また、該突起５１
ｄ１  と略９０度の位置には、ハンドル着脱手段５１に対して装着するためのハン
ドル５の基部に形成された装着手段５２の押し込み突部５２ａをガイドするため
のガイド凹部５１ｄ２  が形成されている。
【００２１】
ハンドル５の基部に形成された装着手段５２には前記した押し込み突部５２ａ
の他に、前記第１、第２ハンドルソケット５１ａ，５１ｂに形成された係合突起
５１ａ３  ，５２ｂ３  が挿入される挿入溝５２ｂ１  、該挿入溝５２ｂ１  から連続し
て形成されハンドル５を略９０度分だけ回転可能とするための円周溝５２ｂ２  お
よび最終位置まで回転した状態において前記突起５１ａ３  が入り込みハンドル５
が抜け出るのを防止するためのロック溝５２ｂ３  とが形成されている。
【００２２】
次に、前記した構成に基づいてハンドル５をハンドル着脱手段５１に対して装
着するための動作を図５〜図７と共に説明する。
ハンドル５を挿入する以前のハンドル着脱手段５１の状態としては、押さえバ
ネ５１によってカム５１ｄが開口部側に押圧されているが、該カム５１ｄの突起
５１ｄ１  が長孔５１ａ２  ，５１ｂ２  によって抜け出ないように係止されている。
【００２３】
この状態において、ハンドル５の装着手段５２における係合部５２ｂの挿入溝
５２ｂ１  を、第１、第２ハンドルソケット５１ａ，５１ｂの係合突起５１ａ３  ，
５１ｂ３  に嵌め込むように位置合わせして差し込むと、装着手段５２に形成され
ている押し込み突部５２ａがカム５１ｄのガイド凹部５１ｄ２  に位置合わせされ
るので、この時はカム５１ｄは押さえバネ５１ｃによって初期位置にある。
【００２４】
そして、係合突起５１ａ３  ，５１ｂ３  が円周溝５２ｂ２  の入口側に位置し、ハ
ンドル５を図６において時計方向に回転することが可能な状態になっているので
、ハンドル５を時計方向に回転することで係合突起５１ａ３  ，５１ｂ３  に対して
円周溝５２ｂ２  は出口側に移動する。ハンドル５の回転途中において、押し込み
突部５２における斜面が、カム５１ｄのガイド凹部５１ｄ２  からガイド凸部５１
ｄ３  にかけて形成されている斜面上を移動して、カム５１ｄを徐々に押さえバネ
５１ｃのバネ力に抗して後退される（図６参照）。
【００２５】
さらに、ハンドル５を回転して最終回転位置まで達する、すなわち、係合突起
５１ａ３  ，５１ｂ３  が円周溝５２ｂ２  の出口側に当接した位置において、押し込
み突部５２の頂部がガイド凸部５１ｄ３  と対向した位置となるので、この位置に
おいてカム５１ｄには押さえバネ５１ｃによる最も強いバネ力が作用する
【００２６】
この状態において、ハンドル５への押圧力を解除すると、押さえバネ５１ｃの
バネ力によってカム５１ｄが前進するので、装着手段５２が外側に向かって押さ
れ、これにより、係合突起５１ａ３  ，５１ｂ３  がロック溝５２ｂ３  内に入り込み
ロックされる（図７参照）。従って、ハンドル５の装着手段５２が着脱手段５１
にロックされるので、ハンドル５を着脱手段５１側に押し込み回転しない限り外
れることはないので、ハンドル５をアーム３３ｃに対して確実に固定でき、また
、取り外す場合にはハンドル５を押し込み回転することで行えるので、取り外し
も簡単に行えるものである。
【００２７】
次に、アーム３ｃ対してブラケットフレーム３ｄを取付けるための保持手段４
の構造を図３、図８、図９と共に説明する。
前記したアーム３ｃの先端には軸孔３ｃ１  が形成され、該軸孔３ｃ１  には断面
Ｌ字状の軸方向にスリット４１ａが形成された軸受け４１が嵌合されている。こ
の軸受け４１に鍔部４２ａを有する有底筒状のヘッド回転軸４２が嵌挿され、前
記鍔部４２ａとアーム３ｃの軸孔３ｃ１  が形成された外側面との間にはスライド
リング４３が介在されている。
【００２８】
一方、ブラケットフレーム３ｄの水平方向軸孔３ｅが形成されており、該軸孔
３ｅには大径孔３ｅ１  と小径孔３ｅ２  が形成され、かつ、ネジ孔３ｅ３  が形成さ
れている。そして、大径孔３ｅ１  内には前記ヘッド回転軸４２のアーム３ｃの軸
孔３ｃ１  より突出した突出軸４２ｃが挿入され、また、小径孔３ｅ２  内には重荷
重バネ４３が挿入されている。なお、ブラケットフレーム３ｄの前記孔が形成さ
れた端面と前記軸受け４１との間にもスライドリング４５が介在されている（図
９ａ参照）。
【００２９】
前記ヘッド回転軸４２内には軽荷重バネ４６を挿入した状態において（図９ｂ
参照）、ボルト４７をヘッド回転軸４２の開口部側から軽荷重バネ４６、ヘッド
回転軸４２に形成されたボルト挿通孔４２ｃ、重荷重バネ４４に挿通した後、水
平方向軸孔３ｅに形成されているネジ孔３ｅ３  にネジ込み一体化する（図９ｃ参
照）。なお、４８は座金であり、図３において４９はヘッド回転軸４２に被せる
装飾用キャップである。
【００３０】
次に、前記した構成に基づいて動作を説明するに、ボルト４７を締め付けると
、２つのバネ４４，４６のバネが圧縮されてブラケットフレーム３ｄとヘッド回
転軸４２とによって挟持されているアーム３ｄの挟持力が強くなるので、アーム
３ｄに対するブラケットフレーム３ｄの回転操作力を強くする必要が生じること
となり、従って、ブラケットフレーム３ｄに取付けられている照明装置６はアー
ム３ｄに対して不用意に回動したりすることがなくなるものである。
【００３１】
ところで、実際の照明装置６を使用するにあたり、前記ボルト４７を締め過ぎ
て照明装置６よりの光を患者の口元に向けるためハンドル５によって操作を行う
場合に、相当な力が必要となり作業性が悪くなり、また、緩過ぎた場合には治療
中に照明装置６が回転してしまうことになり、前記バネの締め付け力を微調整で
きるようにすることが望ましい。
【００３２】
そこで、前記した構造にあっては、ボルト４７を締め付けて行くと、先ず、軽
荷重バネ４６が圧縮され、該軽荷重バネ４６が最大限まで圧縮された状態におい
て重荷重バネ４４が圧縮されるという二段階での圧縮状態となるので、ブラケッ
トフレーム３ｄとヘッド回転軸４２とによって挟持されているアーム３ｄの挟持
力の調整を希望とする挟持力に微細に調整することが可能となり、好みの力での
操作および保持が可能となる。
【００３３】
なお、本実施の形態にあっては、ブラケットフレーム３ｄをアーム３ｃに軸支
する手段として、図３、図８に示すように右側のみに前記した構造の保持手段４
を採用し、左側については図３に示す如くアーム３ｃの軸孔３ｃ１  に差し込み固
定したヘッド回転軸４２に対してブラケットフレーム３ｄを回転自在に軸支軸支
したものについて説明したが、アーム３ｃの左右に前記した保持手段４によって
取付けてもよい。
【００３４】
次に、患者が治療前あるいは治療後等において口腔内を見るためのミラー装置
７について図１０、図１１と共に説明する。
ミラー装置７は図１１に示すように、前記したブラケットフレーム３ｄにおけ
る垂直方向の上部側に形成された溝にネジ７１によって固定されたミラーベース
７２と、該ネジ止め時において一体的に固定された一端が湾曲部７３ａが形成さ
れたミラー押さえバネ７３と、前記ミラーベース７２に対して回転自在に軸支さ
れたステー７４と、該ステー７４の先端に取付けられたミラー枠７５とより構成
されている。
【００３５】
なお、前記ステー７４の基部側には該ステー７４を起立した状態（患者が使用
しない状態であって、前記ミラー枠７５がミラーカバー６３より上方に位置する
状態）において前記ステー押さえバネ７３の湾曲部７３ａと係合される係合部７
４ａが形成されている。また、前記ミラー枠７５にはミラー７５ａが固定されて
いる。
【００３６】
このように構成したミラー装置７は、患者がミラーを必要としない、すなわち
、治療中の場合には、ステー７４をミラーベース７２との軸部を支点として起立
させると、該ステー７４の係合部７４ａがミラー押さえバネ７３の湾曲部７３ａ
に係合され固定状態となる。この状態はミラー枠７５がミラーカバー６３の上方
に位置して、ランプ６２よりの光がミラー枠７５によって遮られない位置となる。
【００３７】
そして、治療が終わり、患者が口腔内を見たいと欲する場合には、ステー７４
を図１１ａの状態からｂの状態に回動してミラー押さえバネ７３との係合を外す
ことでミラー枠７５が下降するので、ステー７４のミラーベース７２に対する回
転角度を適宜調整することでミラー７５ａによって口腔内を見ることが可能とな
る。
【００３８】
なお、この実施例にあっては、ミラーベース７２とステー７４との軸部を固く
して適宜位置で固定すると共にステー７４の角度のみで患者の口腔内を患者が見
えるようにしたが、ステー７４とミラー枠７５との軸部によって角度調整ができ
るようにしてもよい。
【産業上の利用可能性】
【００３９】
前記した実施例にあっては、歯科用の照明装置として説明したが、その他の診
療、例えば、産婦人科、泌尿器科等の診療、治療において、施術患部や医師の作
業手元部位を照明するものにも応用できるものである。
【図面の簡単な説明】
【００４０】
【図１】診療用照明装置の全体を示す正面図である。
【図２】同上の側面図である。
【図３】照明装置全体の分解斜視図である。
【図４】同上のハンドル装着部分の分解斜視図である。
【図５】同上におけるハンドル着脱手段に対してハンドルを装着する前の一部断面斜視図である。
【図６】ハンドルをハンドル着脱手段に途中まで挿入した状態の一部断面斜視図である。
【図７】ハンドルをハンドル着脱手段に嵌め込んだ状態の一部断面斜視図である。
【図８】アームに対してブラケットフレームを軸支するための構造の分解斜視図である。
【図９】（ａ）〜（ｃ）は同上の要部の組み立て順序を示す断面図である。
【図１０】ブラケットフレームにミラー７を取付けた状態の平面図である。
【図１１】（ａ）はステーを起立した状態の断面図、（ｂ）はステーを回動してミラーの使用状態の断面図である。
【符号の説明】
【００４１】
３                  ヨーク
３ｃ                アーム
３ｅ                ブラケットフレーム
５１ａ，５１ｂ      ハンドルソケット
５１ａ３              係合突起
５１ｃ              押さえバネ
５１ｄ              カム
５２                装着手段
５２ｂ              係合部
５４                カム
６１                ミラー
【図１】
2005093132.tif 000003
【図２】
2005093132.tif 000004
【図３】
2005093132.tif 000005
【図４】
2005093132.tif 000006
【図５】
2005093132.tif 000007
【図６】
2005093132.tif 000008
【図７】
2005093132.tif 000009
【図８】
2005093132.tif 000010
【図９】
2005093132.tif 000011
【図１０】
2005093132.tif 000012
【図１１】
2005093132.tif 000013